(57)【要約】      （修正有）【課題】ネジ締めトルクを容易に管理できるコネクタを提供する。【解決手段】コネクタのハウジングには、ネジ挿通孔４を備えたネジ止部３が設けられている。ネジ挿通孔４の上端開口部４ａには、４つの破損片がネジ挿通孔４の周方向に沿って等間隔で設けられている。破損片は、ネジ挿通孔４の内周壁からネジ挿通孔４の内方に突出した支持部５１と、支持部５１の先端からネジ挿通孔４の内周壁に沿って上下方向に延びた荷重受部５２とを備えている。荷重受部５２の上端部は、ネジ挿通孔４の上端開口部４ａから上方に突出している。破損片は、ネジ挿通孔４を挿通して被着体に螺着されたネジの頭部７１に荷重受部５２を押圧され、ネジの螺合に必要なトルクが所定値に達すると支持部５１を破壊される。【選択図】図９
2009211929.tif 000002
【特許請求の範囲】
【請求項１】
ネジ挿通孔に一端開口部から挿通されたネジで被着体にネジ止めされて装着されるコネクタであって、
所定の締付力を付与されて前記被着体に螺着された前記ネジの頭部により、前記ネジ挿通孔の他端開口部側に押圧されて、前記所定の締付力により破損する破損片を備えることを特徴とするコネクタ。
【請求項２】
前記破損片は、前記ネジ挿通孔の内周壁に形成されており、前記ネジ挿通孔に挿通された前記ネジと前記ネジ挿通孔との間に形成された間隙から、前記一端開口部の外方に突出していることを特徴とする請求項１に記載のコネクタ。
【発明の詳細な説明】
【技術分野】
【０００１】
本発明は、ネジ挿通孔に一端開口部から挿通されたネジで被着体にネジ止めされて装着されるコネクタに関する。
【背景技術】
【０００２】
この種のコネクタでは、被着体にネジ止めする際のネジ締めトルクが過大になると、コネクタに変形や割れが生じる虞があることから、ネジ締めトルクを確認するために、トルクドライバーを使用する必要があった。このため、ネジ締めトルクの管理を容易にするために、下記の特許文献１に記載のコネクタの固定構造が開示されている。この固定構造は、コネクタに装着したブラケットが、コネクタと共に基板にネジ止めされており、ネジ締めに伴い生じる荷重を、ブラケットを介してコネクタに加えることにより、コネクタの破損が防止されている。
【０００３】
【特許文献１】特開２００２−２５２０５３号公報
【発明の開示】
【発明が解決しようとする課題】
【０００４】
しかしながら、上記特許文献１に記載のコネクタの固定構造では、ネジ締めトルクが過大になることに伴うコネクタの破損は防げても、ネジ締めトルクを作業時に確認できないことから、作業毎にネジ締めトルクに大きなばらつきが生じ易く、ネジ締め作業の作業性やネジ締めの信頼性に欠ける虞があった。このため、ネジ締めトルクの管理をより容易にすることが望まれていた。
【０００５】
本発明は、上記した点に鑑み、ネジ締めトルクの管理を容易にできるコネクタを提供することを目的とする。
【課題を解決するための手段】
【０００６】
このような目的を達成するために、本発明のコネクタは、ネジ挿通孔に一端開口部から挿通されたネジで被着体にネジ止めされて装着されるコネクタであって、所定の締付力を付与されて前記被着体に螺着された前記ネジの頭部により、前記ネジ挿通孔の他端開口部側に押圧されて、前記所定の締付力により破損する破損片を備えることを特徴とする。
また、本発明は、前記破損片が、前記ネジ挿通孔の内周壁に形成されており、前記ネジ挿通孔に挿通された前記ネジと前記ネジ挿通孔との間に形成された間隙から、前記一端開口部の外方に突出していることを特徴とする。
【発明の効果】
【０００７】
本発明によれば、ネジに所定の締付力が付与されたのを、破損片が破損することで確認できるので、ネジ締めトルクの管理を容易にすることができる。
【発明を実施するための最良の形態】
【０００８】
以下、図面を参照して、本発明の最良の形態を説明する。
図１は、本実施形態のコネクタ１を下方から見た図である。図２は、コネクタ１の延出片２ａを拡大して示す図であり、（ａ）は上方からの斜視図，（ｂ）は正面図である。図３は、延出片２ａに設けられたネジ止部３の断面図であり、図２（ｂ）のＡ−Ａ線断面図である。なお、以下の説明で用いる上下，前後，左右の各方向は説明に用いる各図に示している。この上下，前後，左右は説明のために記載したもので、実際の配置と異なってよいことはもちろんである。
【０００９】
図１に示すように、コネクタ１は、ハウジング２の下面に装着部２１を備えている。ハウジング２の下端部の左右の両側部には、一対の延出片２ａが設けられている。延出片２ａは、ハウジング２の下端部から左右の側方に延びており、図２に示すように、先端部にはネジ止部３を備えている。図３に示すように、ネジ止部３の形成位置の反対側に位置する延出片２ａの下面には、円形の収容凹部６が設けられている。収容凹部６には、後述する被着体８が備える受台８１の嵌合突部８２（図４参照）が嵌め合わされて収容される。ネジ止部３の上面から収容凹部６の底面にかけては、ネジ挿通孔４が貫通している。ネジ挿通孔４は、ハウジング２を被着体８にネジ止めするネジ７（図７，図８参照）の挿通される円形の孔である。
【００１０】
図４は、コネクタ１の装着される被着体８の右側方からの断面図である。
コネクタ１は、ハウジング２の下面に形成された装着部２１を、被着体８に設けられた被着部（不図示）に嵌め合わせて被着体８に装着される。図４に示すように、コネクタ１の装着される被着体８の上面には、被着部に装着部２１を嵌め合わせたハウジング２の下面を受ける受台８１が設けられている。受台８１は、ハウジング２の下面とほぼ等しい平面形状を有する平板状を呈しており、その左右の両端部の上面には円板状の嵌合突部８２が設けられている。嵌合突部８２には、コネクタ１を受台８１にネジ止めするためのネジ孔８３が形成されている。
【００１１】
図５は、延出片２ａに設けられたネジ止部３の上方からの斜視図である。図６は、ネジ止部３の上端開口部４ａを拡大して示す断面図である。
【００１２】
図５に示すように、ネジ挿通孔４の上端開口部４ａには、４つの破損片５がネジ挿通孔４の周方向に沿って等間隔で設けられている。破損片５は、図６に拡大して示すように、ネジ挿通孔４の内周壁からネジ挿通孔４の内方に突出した支持部５１と、支持部５１の先端からネジ挿通孔４の内周壁に沿って上下方向に延びた荷重受部５２とを備えている。
【００１３】
図５に示すように、支持部５１は、ネジ挿通孔４の周方向に沿って形成されている。また、荷重受部５２は、ネジ挿通孔４の周方向に沿った支持部５１の両端に亘って形成されており、ネジ挿通孔４の内周壁に沿って湾曲した板状体から構成されている。
【００１４】
図６に示すように、荷重受部５２の上端部は、ネジ挿通孔４の上端開口部４ａから上方に突出している。向かい合う一対の破損片５が備える荷重受部５２の内周面同士の間隔は、ネジ７が備える雄ネジ部７２の外径とほぼ等しく、又は、雄ネジ部７２の外径よりもやや長く設定されている。破損片５は、上方から荷重受部５２に所定の荷重が加えられると、支持部５１が剪断破壊されるように構成されている。この所定の荷重は、コネクタ１を被着体８にネジ止めするネジ７に適正なネジ締めトルクが加えられ、ネジ７の締付力が所定値に達したときに、荷重受部５２に加えられる荷重に設定されている。
【００１５】
次に、コネクタ１を被着体８に装着する際の動作について説明する。
図７は、被着体８に装着されたコネクタ１のネジ止部３を拡大して示す図であり、（ａ）は上方からの斜視図，（ｂ）は正面図である。図８は、受台８１に装着されたネジ止部３の断面図であり、図７（ｂ）のＢ−Ｂ線断面図である。図９は、図８の枠Ｃ内を拡大して示す断面図である。
【００１６】
コネクタ１がハウジング２に備える装着部２１を、被着体８の被着部（不図示）に嵌め合わせると、嵌合突部８２が収容凹部６に嵌め合わされて収容され、図７に示すように、延出片２ａが受台８１と重ね合わされる。このとき、図８に示すように、ネジ止部３のネジ挿通孔４と受台８１のネジ孔８３とは、軸心をほぼ一致させて互いを連通させている。このようにして、被着体８の受台８１にネジ止部３を配置させた状態で、コネクタ１は被着体８にネジ止めされる。
【００１７】
コネクタ１を被着体８にネジ止めするためのネジ７は、ネジ挿通孔４の上端開口部４ａから、４つの破損片５の間を通して雄ネジ部７２を挿入され、嵌合突部８２のネジ孔８３に螺合される。ネジ孔８３に螺合されるネジ７の頭部７１が、上端開口部４ａの周縁のネジ止部３の上面に近接すると、破損片５が備える荷重受部５２の上端部が頭部７１の下端面に当接する。その後、ネジ７は、頭部７１で荷重受部５２をネジ挿通孔４の下端開口部４ｂ側に押圧しながら、雄ネジ部７２をネジ孔８３に螺合させる。
【００１８】
荷重受部５２をネジ挿通孔４の下端開口部４ｂ側に押圧する力は、荷重受部５２の上端側を支持部５１を始点としてネジ挿通孔４の内方に傾けるように作用し、荷重受部５２の内周面が雄ネジ部７２の外周面に押し付けられる。また、荷重受部５２をネジ挿通孔４の下端開口部４ｂ側に押圧する力は、荷重受部５２を介して支持部５１に剪断力を働かせる。この剪断力は、ネジ孔８３へのネジ７の螺着量の増大に伴い増加する。
【００１９】
ネジ７が備える頭部７１の下端面がネジ止部３の上面に当接し、ネジ止部３が受台８１に押し付けられると、ネジ７をネジ孔８３に螺合させるのに必要なネジ７の締付力が大きくなる。ネジ孔８３へのネジ７の螺合に必要な締付力が所定値に達すると、破損片５の支持部５１が剪断破壊され、図９に示すように、支持部５１の基端側がネジ挿通孔４の内周壁に残り、先端側が荷重受部５２と共に、ネジ挿通孔４の内周壁と雄ネジ部７２との間に脱落する。ネジ挿通孔４から脱落した支持部５１及び荷重受部５２は、収容凹部６に収容された嵌合突部８２のネジ孔８３の周縁に位置する上面に落下する。
【００２０】
上記実施形態のコネクタ１によれば、ネジ孔８３へのネジ７の螺合に必要な締付力が所定値に達して、適正なネジ締めトルクがネジ７に加えられると、ネジ７の頭部７１で荷重受部５２を押圧された破損片５の支持部５１が剪断破壊されることから、ネジ７に適正なネジ締めトルクが加えられたことを、破壊音等により作業者に知らせることができる。このため、作業者は、適正なネジ締めトルクがネジ７に付与されたのを、破損片５が破損することで確認でき、ネジ締めトルクの管理を容易にすることができる。
【００２１】
また、上記実施形態のコネクタ１によれば、剪断破壊されてネジ挿通孔４の内周壁と雄ネジ部７２との間に脱落した支持部５１及び荷重受部５２が、ネジ孔８３の周縁に位置する嵌合突部８２の上面に落下して、ネジ挿通孔４、ネジ７、及び嵌合突部８２で囲まれる空間に収容されることから、脱落した支持部５１が異物として残り、組み付けライン等に混入したり、ゴミになる等して、他の機能部に影響を与えるのを防止することができる。また、脱落した支持部５１及び荷重受部５２を回収する手間を省くこともできる。
【００２２】
上記実施形態では、ネジ７の頭部７１から荷重受部５２に加えられる荷重により、破損片５の支持部５１が破壊され、支持部５１及び荷重受部５２がネジ挿通孔４から脱落した場合について説明した。しかしながら、破損片５が破損したことを破壊音等により作業者が確認できるのであれば、破損した破損片５がネジ挿通孔４から脱落する構成とする必要は必ずしもない。例えば、支持部５１が部分的に破壊されて破壊音等を生じさせるものの、支持部５１及び荷重受部５２がネジ挿通孔４から脱落しないように構成してもよい。
【００２３】
上記実施形態では、ネジ挿通孔４の上端開口部４ａに、４つの破損片５が設けられている場合について説明したが、ネジ挿通孔４に備えられる破損片５の数量は任意である。また、破損片５の形状は、ネジ７の頭部７１から荷重を加えられて破損したことを作業者に認識させられるのであれば、任意である。例えば、荷重受部５２が支持部５１の先端からネジ挿通孔４の上方に延びた形状を呈していてもよい。
【００２４】
また、破損片５は、ネジ７の頭部７１から加えられる荷重を受ける荷重受部の上端部が、ネジ挿通孔４の上端開口部４ａから上方に突出しているのであれば、ネジ挿通孔４の上端開口部４ａに形成されている必要はなく、ネジ挿通孔４の下端開口部４ａに形成されていても、上下方向の中央部に形成されていてもよい。また、破損片５は、ネジ挿通孔４の内周壁に形成されている必要はなく、例えば、ネジ挿通孔４の開口する収容凹部６の底面や、ネジ止部３の上面に形成されていてもよい。
【００２５】
また、被着体８へのハウジング２の取付構造は、ハウジング２の装着部２１を被着体８に設けられた被着部（不図示）に嵌め合わせ、上端開口部４ａからネジ挿通孔４に挿通されたネジで、被着体８にハウジング２をネジ止めするのであれば任意である。例えば、延出片２ａの下面に形成された収容凹部６に、受台８１の嵌合突部８２を嵌め合わせる構成とする必要はなく、また、ハウジング２の下面を受台８１で受ける構成とする必要もない。
【００２６】
上記実施形態では、４つの破損片５の全てが同じ荷重で支持部５１を破損させる構成を有していた場合について説明したが、破損する荷重の異なる破損片５を備える構成としてもよい。この構成によれば、異なる複数のネジ締めトルクを作業者に知らせることができる。この場合、支持部５１や荷重受部５２の形状を異ならせたり、支持部５１の形成位置のネジ挿通孔４の内周壁の形状を異ならせたり、異なる破壊音を発生させるための部材を別途設ける等して、破損時に生じる破壊音を作業者が聞き分けられるようにすることにより、複数のネジ締めトルクを、作業者に正確に把握させることができる。この結果、ネジ締めトルクの管理を容易にすることができる。
【図面の簡単な説明】
【００２７】
【図１】本発明の一実施形態のコネクタを下方から見た図である。
【図２】コネクタの延出片を拡大して示す図であり、（ａ）は上方からの斜視図，（ｂ）は正面図である。
【図３】延出片に設けられたネジ止部の断面図であり、図２（ｂ）のＡ−Ａ線断面図である。
【図４】コネクタの装着される被着体の右側方からの断面図である。
【図５】延出片に設けられたネジ止部の上方からの斜視図である。
【図６】ネジ止部の上端開口部を拡大して示す断面図である。
【図７】被着体に装着されたコネクタのネジ止部を拡大して示す図であり、（ａ）は上方からの斜視図，（ｂ）は正面図である。
【図８】受台に装着されたネジ止部の断面図であり、図７（ｂ）のＢ−Ｂ線断面図である。
【図９】図８の枠Ｃ内を拡大して示す断面図である。
【符号の説明】
【００２８】
１          コネクタ
２          ハウジング
２１        装着部
３          ネジ止部
４          ネジ挿通孔
４ａ        上端開口部
４ｂ        下端開口部
５          破損片
５１        支持部
５２        荷重受部
７          ネジ
７１        頭部
７２        雄ネジ部
８          被着体
８１        受台
８３        ネジ孔
【図１】
2009211929.tif 000003
【図２】
2009211929.tif 000004
【図３】
2009211929.tif 000005
【図４】
2009211929.tif 000006
【図５】
2009211929.tif 000007
【図６】
2009211929.tif 000008
【図７】
2009211929.tif 000009
【図８】
2009211929.tif 000010
【図９】
2009211929.tif 000011